(57)【特許請求の範囲】
【請求項１】
フリーアクセスフロアに設置された、底面にキャスターと底部部品を備えた装置を、前記キャスターを用いてスライドさせ、前記底部部品を交換する際に、前記底部部品の交換を補助するためのスライド式作業補助治具であって、
フリーアクセス開放部に橋状に跨がる治具本体部と、
前記治具本体部の片端に接合され、前記治具本体部を下方及び左右方向に固定するＬ型固定部と、
前記治具本体部の他端に接合され、前記底部部品がフリーアクセス開放部に位置するように前記キャスターを誘導するためのガイド部と
を備えたことを特徴とするスライド式作業補助治具。
【請求項２】
前記ガイド部は前記キャスターを誘導するためのガイド板と、前記キャスターがフリーアクセス開放部に位置することを防止するためのストッパーにより構成することを特徴とする請求項１記載のスライド式作業補助治具。
【発明の詳細な説明】
【０００１】
【発明の属する技術分野】
本発明はフリーアクセスフロア（二重床）に設置されたコンピュータ装置又は各種重量機器の台足などを交換取付するためのスライド式の作業補助治具に関する。
【０００２】
【従来の技術】
昨今の急激な技術革新によるコンピュータの小型化などにより設置環境も大きく変貌している。特に中小型のものに於いてはオフィスの快適環境を望むためのフリーアクセス化などを除き、コンピュータの為の特別な設置環境は今や不要であり、普通のオフィス環境でも十分耐えられる様に設計されている。しかし、大型のホストコンピュータの分野に於いては未だ特別な空調設備を擁したフリーアクセスの特別室に設置されているのが実態である。
【０００３】
一方、これ等コンピュータの大小を問わずコンピュータシステムの安全性、特に地震災害からシステムを如何に守るか、最近の各地で起きている地震災害の教訓を生かすべく現在各視点から色々な対策が講じられている。
【０００４】
その一つとしてコンピュータ装置に取り付けられた従来の固定台足を免震台足（セーフット）に交換し、地震のエネルギーを極力装置で吸収する様な構造に改善することが各所で推進されている。特に前述のフリーアクセスフロアに設置された比較的重量のあるコンピュータ装置の台足交換作業は、従来図４に示される様なリフト方式、即ち２台の油圧式リフト（Ａ、Ｂ）で装置を持ち上げる方法で台足の交換作業が実施されている。
【０００５】
この場合の作業手順は先ず、持ち上げる装置下部の左右中心位置を決め、各リフトのフォーク部を左右から押し込んだ後、これ等２台のリフトを連結棒にて接続しボルト等で固定化する。このリフトセット後装置を持ち上げる作業では、双方の作業者が合図を取り合いながら上昇用ノブを同時に作動させ、装置を床面から浮かせて台足の交換を行う。
【０００６】
交換作業が終了すると、持ち上げ時と逆に下降用ノブを作動させ、装置の着床後リフトの連結棒を取り外す。これ等一連の作業を１筐体（装置）毎に繰り返し行っていた。
【０００７】
又、コンピュータシステムの場合には機能別の複数の筐体から構成され、これ等隣接した筐体同士がボルトでしっかり連結されているケースが多く、各筐体間はフリーアクセスフロアの上下に於いて電源或いは信号ケーブルにより結線されている。従って交換作業前にはこれ等連結された筐体を交換作業単位に切り離すと共にケーブル類の取り外し作業が、又交換作業後にはこれ等を元に戻す作業がその都度発生していた。
【０００８】
【発明が解決しようとする課題】
この様に従来のリフト方式では装置毎にリフトのセッティング及び連結棒の解体、或いは装置間を結合するボルトやケーブル類の着脱など、台足交換作業などの前後の準備作業に多くの時間と工数を費やし、コンピュータシステムの長時間停止を余儀なくされる上、リフトのセッティングに於ける位置決めでは装置毎に異なる重心を確認し、バランス保持に細心の注意を必要とするなど安全性の点でも不安があり問題であった。
【０００９】
本発明はこのような点にかんがみて、フリーアクセスフロアに設置された装置の台足交換作業などに於いて、作業時間と工数を大幅に縮減すると同時に作業の安全性を確保する手段を提供することを目的とする。
【００１０】
【課題を解決するための手段】
上記の課題は下記の如くに構成されたスライド式作業補助治具によって解決される。図１は本発明の原理図であり、同上図は平面図、下図は側面図を示している。即ち
フリーアクセスフロアに設置された装置の底部部品を取付るためのスライド式作業補助治具であって、
フリーアクセス開放部に橋状に跨がる該治具本体部の片端に接合され、該治具本体部を下方及び左右方向に固定化するＬ型固定部と、前記フリーアクセス開放部側にスライドした装置を所定位置に誘導し、前記Ｌ型固定部が接合された該治具本体部の他端に接合されて他端のＬ型固定部機能を持ち合わせた構造のガイド部とを備えることにより、装置を持ち上げることなくスライドさせるだけで装置の底部部品を取付又は交換することができ、安全且つ少人数で短時間に作業を行うことが可能となる。
【００１１】
【発明の実施の形態】
ここではフリーアクセスフロアに設置されたコンピュータシステムを地震災害から守るため、昨今推進されているコンピュータ装置（キャスター付）の固定台足を免震台足に交換する作業を例に本発明のスライド式作業補助治具を説明するものとする。
【００１２】
先ず本治具の構造について図１により説明するが同上図は平面図、下図は側面図を示している。
本治具は機能的に大きく治具本体（１）、Ｌ形固定部（２）、及びガイド部（３）から構成される。治具本体は更にピストン・シリンダ状の２本の可動軸▲１▼（可動軸▲１▼には所定軸長に合わせ、ピン挿入穴あり）と軸長固定ピン▲２▼から成り、ガイド部は平行な長短２個のガイド板▲４▼とストッパー▲５▼により「コ」の字形に接合された部材から成っている。
【００１３】
そして可動軸▲１▼の両端は前記ストッパー▲５▼とＬ形固定部を成す固定板▲３▼にそれぞれ接合されて本治具全体を構成している。尚、前記２個のガイド板▲４▼とストッパー▲５▼は可動軸▲１▼の他端のＬ形固定部の機能も持ち合わせている。
【００１４】
又、前記に於いて「コ」の字形のガイド部は「Ｖ」字形であっても良いし、可動軸▲１▼の固定方法は軸長固定ピン▲２▼に依らず、任意軸長に調整可能な固定ネジによる方法でも良く、ガイド部の形状や可動軸の固定方法に捕らわれるものではない。
【００１５】
本治具の使用に際し、本治具は同側面図に示す様に軸長固定ピン▲２▼の調節によりフリーアクセス開放部間に橋状に跨がる様に縣吊、載嵌されて使用されるもので、軸長固定ピン▲２▼により多種類のフリーアクセス幅に対応できる様にしている。
【００１６】
本治具が上記の様にセットされた後、キャスター付コンピュータ装置の台足を交換する場合を想定した本治具の作用を図２の平面図により説明する。
コンピュータ装置の底部に取り付けられたキャスター（イ）を利用して装置を移動し、当キャスターが本治具の長短２個のガイド板▲４▼間に入るように誘導する。この時キャスターの個数に応じた本治具がフリーアクセス開放部（ハ）にセットされており、図２ではこれが２個の場合を図示している。
【００１７】
ガイド板▲４▼によりキャスターの横ずれを防止しながら、両キャスターがストッパー▲５▼に受け止められるまで装置をフリーアクセス開放部側に移動する。
これにより交換する装置の台足（ロ）がフリーアクセス開放部側に突き出した状態になり、ここで台足を免震台足などに交換するものである。
【００１８】
続いて、これ等を図３に示す様な立体図により、その実施例を説明する。
先ず対象装置の交換する台足側のフリーアクセスフロアを装置幅に応じて適当な幅分だけ取り外し、その外したフリーアクセス開放部（ハ）に本治具を必要数セットする。この時フリーアクセス開放部の幅に合わせ本治具の可動軸▲１▼を伸縮させ、本治具が当開放部に丁度はまり、本治具両端のガイド部と固定板▲３▼により開放部脇の両フリーアクセスに橋状に懸かる状態にして、可動軸▲１▼のピン穴に固定ピン▲２▼を挿入し可動軸長を固定する。尚、この状態で本治具を開放部方向に自由にスライドさせることが出来る。
【００１９】
次に対象装置の台足（ロ）を緩めキャスター（イ）を使用状態にして装置を所定方向、所定位置まで移動させ、交換する台足側の両キャスター位置に本治具のガイド部が合致するよう本治具を開放部方向にスライドし、本治具の位置決めを行う。
【００２０】
その後装置を更に所定方向に移動させ、本治具の長短２個のガイド板▲４▼によりキャスターの横ずれを防止しながら、両キャスターがストッパー▲５▼に受け止められるまで装置をフリーアクセス開放部側に誘導する。
【００２１】
その結果、交換する装置の台足がフリーアクセス開放部側に突き出した状態になり、そこで台足を免震台足などに交換するものである。
交換作業が終了したら今迄の作業と逆順に、先ず装置を逆方向に押し下げた後、本治具を持ち上げてフリーアクセス開放部から取り去り、フリーアクセス開放部にフロアを戻し、装置片側の台足交換作業を終了する。
【００２２】
そして装置の反対側の台足に付いても同様な動作を繰り返し、一連の交換作業を完了する。
尚、ここでは１装置についての作業手順を図３に基づき説明したが、特にコンピュータ装置の場合には前述の通り、機能別の複数の筐体（装置）から構成され、これ等隣接した筐体同士がボルトでしっかり連結されているケースが多い。
【００２３】
この様な場合には連結された各筐体間をフリーアクセスフロア下で結線する電源或いは信号ケーブルのみを取り外し、後は各筐体を連結した儘の状態で前記同様の作業手順で作業が可能であり、従来の様に交換作業前にはこれ等連結された筐体を交換作業単位に切り離すと共に筐体間を直接結線するケーブル類の取り外し作業が、又交換作業後にはこれ等を元に戻す作業が全て無くなる。
【００２４】
従って従来の装置リフト方式に比べ、本発明のスライド方式では交換・取付作業前後の作業補助治具のセッティング及びリセッティングに要する時間と工数が大幅に節減されると共に安全性も向上する。また、前述の筐体同士が連結されているコンピュータ装置の様な場合には、連結した儘の状態で一度に作業が可能で作業単位が拡大することを考慮すると、更なる時間と工数の節減が期待でき、従来方式の数十分の一の効果が期待できる。
【００２５】
【発明の効果】
以上の説明から明らかなように本発明によれば、装置の台足交換作業などに於いて従来の様に装置を持ち上げて作業を行う方式から、フリーアクセス開放部側に装置をスライドして作業を行う方式に転換することにより、装置単位の作業はもとより複数装置を連結した儘で同時に作業することも可能となり、作業時間と工数を大幅に縮減出来る上、作業の安全性が高まるという著しい工業的効果がある。
【図面の簡単な説明】
【図１】本発明の原理図
【図２】本発明の作用説明の為の平面図
【図３】本発明の実施例説明図
【図４】従来の作業方法説明図
【符号の説明】
（１）  治具本体部                                                        （２）  Ｌ字形固定部                                                      （３）  ガイド部                                                          ▲１▼  可動軸                                                            ▲２▼  軸長固定ピン                                                      ▲３▼  固定板                                                            ▲４▼  ガイド板                                                          ▲５▼  ストッパー                                                        （イ）  キャスター                                                        （ロ）  台足                                                              （ハ）  フリーアクセス開放部
【図１】
0003555453.tif 000002
【図２】
0003555453.tif 000003
【図３】
0003555453.tif 000004
【図４】
0003555453.tif 000005